(57)【要約】【課題】ユーザが返信用葉書に気付きやすい返信用葉書付き広告印刷物を提供する。【解決手段】仮想折れ線ａで区画された左側部１１と右側部１２とが折り畳まれて貼着された方形の本紙部１３と、本紙部１３内に挿入配置された方形の紙片部１５とを有し、紙片部１５は、その一辺が仮想折れ線ａにほぼ接する接辺であり、その上部が返信用葉書１４とされ、紙片部１５の接辺から延びる下方隅部の内面が少なくとも非接着とされ、下方隅部の両外面で本紙部１３の左側部１１と右側部１２とにそれぞれ接着されている。【選択図】図１
2018030306.tif 000002
【特許請求の範囲】
【請求項１】
仮想折れ線で区画された左側部と右側部とが折り畳まれて貼着された方形の本紙部と、
前記本紙部内に挿入配置された方形の紙片部と、を有し、
前記紙片部は、
その一辺が前記仮想折れ線にほぼ接する接辺であり、
その上部が返信用葉書とされ、
前記紙片部の前記接辺から延びる下方隅部の内面が少なくとも非接着とされ、
前記下方隅部の両外面で前記本紙部の左側部と右側部とにそれぞれ接着されていることを特徴とする返信用葉書付き広告印刷物。
【請求項２】
前記本紙部が前記仮想折れ線で折り畳まれた状態から前記左側部、又は前記右側部を開いた際、前記紙片部の前記下方隅部の下端辺が開いた状態となることを特徴とする請求項１に記載の返信用葉書付き広告印刷物。
【請求項３】
前記本紙部と接着された前記下方隅部の両外面の形状が三角形状であることを特徴とする請求項１、又は２に記載の返信用葉書付き広告印刷物。
【請求項４】
前記下方隅部が前記仮想折れ線の下端部に位置するように前記紙片部が配置され、
前記下方隅部の下端辺から上方に向かって切込線が形成されていることを特徴とする請求項１〜３の何れかに記載の返信用葉書付き広告印刷物。
【請求項５】
前記本紙部が前記仮想折れ線で折り畳まれた状態から前記左側部、又は前記右側部を開いた際、前記紙片部が前記下方隅部を起点として起き上がることを特徴とする請求項１〜４の何れかに記載の返信用葉書付き広告印刷物。
【発明の詳細な説明】
【技術分野】
【０００１】
本発明は、新聞や雑誌などに折り込まれたり、書店などの店頭で配布される返信用葉書付き広告印刷物に関する。
【背景技術】
【０００２】
新聞などに折り込まれて配布される広告印刷物は、一枚の紙面の両側に商品情報を印刷したものが一般的である。このような形式の広告印刷物は、日常的によくみられるものであるため、表現方法などに特別な工夫をしなければ、ユーザの商品に対する購買意欲を惹起する力が弱い。そこで、特許文献１に開示された広告印刷物は、広告をみて商品などに興味を持った人が商品の購買注文をするためなどに用いることができる返信用葉書が添付されている。
【０００３】
さらに、広告印刷物に掲載する情報量を拡大することや、返信用葉書を手に取りやすくすることにより、葉書の返信率を高めたい要請がある。このような要請に応えるためには、紙面を増加させる必要がある。そこで、特許文献２に開示された広告印刷物は、紙面を折り畳める構造とし、観音開きする構成としている。ユーザがその広告印刷物を開封する際、観音開きされる紙面と共に返信用葉書が切り取られるため、ユーザは自ら切り取ることなくその葉書を利用することができる。
【先行技術文献】
【特許文献】
【０００４】
【特許文献１】特開２００４−１３３０６５号公報
【特許文献２】特開２０１０−２６９６０７号公報
【発明の概要】
【発明が解決しようとする課題】
【０００５】
しかしながら、観音開きされる紙面と共に返信用葉書が切り取られた際、返信用葉書がユーザの視野から外れてしまい、返信用葉書に気が付かないケースがあった。
【０００６】
本発明は、上記課題に鑑みて、ユーザが返信用葉書を見落としにくい返信用葉書付き広告印刷物を提供することにある。
【課題を解決するための手段】
【０００７】
上記課題を解決するためになされた本発明の返信用葉書付き広告印刷物は、仮想折れ線で区画された左側部と右側部とが折り畳まれて貼着された方形の本紙部と、前記本紙部内に挿入配置された方形の紙片部と、を有し、前記紙片部は、その一辺が前記仮想折れ線にほぼ接する接辺であり、その上部が返信用葉書とされ、前記紙片部の前記接辺から延びる下方隅部の内面が少なくとも非接着とされ、前記下方隅部の両外面で前記本紙部の左側部と右側部とにそれぞれ接着されていることを特徴とする。
この構成により、ユーザに返信用葉書が形成された紙片部を容易に気付かせることができ、返信用葉書の返信率を高めることができる。
【０００８】
また、本発明の返信用葉書付き広告印刷物は、前記本紙部が前記仮想折れ線で折り畳まれた状態から前記左側部、又は前記右側部を開いた際、前記紙片部の前記下方隅部の下端辺が開いた状態となることを特徴とする。
この構成により、ユーザに返信用葉書が形成された紙片部を容易に気付かせることができ、返信用葉書の返信率を高めることができる。
【０００９】
また、本発明の返信用葉書付き広告印刷物は、前記本紙部と接着された前記下方隅部の両外面の形状が三角形状であることを特徴とする。
この構成により、ユーザに返信用葉書が形成された紙片部を容易に気付かせることができ、返信用葉書の返信率を高めることができる。
【００１０】
また、本発明の返信用葉書付き広告印刷物は、前記下方隅部が前記仮想折れ線の下端部に位置するように前記紙片部が配置され、前記下方隅部の下端辺から上方に向かって切込線が形成されていることを特徴とする。
この構成により、ユーザに返信用葉書が形成された紙片部を容易に気付かせることができ、返信用葉書の返信率を高めることができる。
【００１１】
また、前記本紙部が前記仮想折れ線で折り畳まれた状態から前記左側部、又は前記右側部を開いた際、前記紙片部が前記下方隅部を起点として起き上がることを特徴とする。
この構成により、前記紙片部が前記下方隅部として起き上がることによって、ユーザの注意を引くことができる。
【発明の効果】
【００１２】
本発明の返信用葉書付き広告印刷物は、ユーザに返信用葉書が形成された紙片部を容易に気付かせることができ、返信用葉書の返信率を高めることができる。
【図面の簡単な説明】
【００１３】
【図１】本実施形態の返信用葉書付き広告印刷物を示す模式図である。
【図２】（ａ）図１に示した紙片部となる用紙の展開図であり、（ｂ）は（ａ）に示す用紙を折り畳むことにより、紙片部が形成された状態を示す説明図である。
【図３】図２（ｂ）に示した紙片部の一辺を紙片部１５の下方隅部紙片部１５の下方隅部仮想折れ線に接するように配置した状態を示す平面図である。
【図４】図２に示した用紙の紙片部の変形例を示す展開図である。
【図５】図２（ｂ）に示した紙片部の下方隅部の拡大図である。
【図６】図１に示した本紙部を折り畳んだ状態を示す平面図である。
【図７】本実施形態の返信用葉書付き広告印刷物の変形例を示す用紙の展開図である。
【図８】本実施形態の返信用葉書付き広告印刷物の別の変形例を示す用紙の展開図である。
【図９】本実施形態の返信用葉書付き広告印刷物のさらに別の変形例を示す用紙の展開図である。
【発明を実施するための最良の形態】
【００１４】
以下、本発明に係る返信用葉書付き広告印刷物の形態について、添付図面に基づいて詳細に説明する。図１〜図６は、本発明に係る返信用葉書付き広告印刷物を示す。
【００１５】
本実施形態の返信用葉書付き広告印刷物１０は、仮想折れ線ａで区画された左側部１１と右側部１２とが折り畳まれて貼着された方形の本紙部１３と、本紙部１３内に挿入配置された方形の紙片部１５とを有する。
【００１６】
紙片部１５は、その一辺が仮想折れ線ａにほぼ接する接辺１５ａであり（図３を参照）、その上部が返信用葉書１４とされ、紙片部１５の接辺１５ａから延びる下方隅部の内面が少なくとも非接着とされ、当該下方隅部の両外面で本紙部１３の左側部１１と右側部１２とにそれぞれ接着されている。ここで、紙片部１５の接辺１５ａは、仮想折れ線ａと接する位置であっても、また仮想折れ線ａから僅かに離間させた位置であってもよい。なお、紙片部１５に、ユーザが返信用葉書１４を容易に分離することができるカット線１８を形成してもよい。また、紙片部１５に、返信用葉書１４だけでなく、例えば個人情報保護シールを設けてもよい。
【００１７】
本実施形態では、紙片部１５は、図２（ａ）、（ｂ）に示すように、一枚の用紙を折り畳むことにより表側紙片１６と裏側紙片１７を形成している。なお、２枚の紙片を重ね合わせることにより表側紙片１６と裏側紙片１７を形成してもよい。
【００１８】
そして、紙片部１５を構成する表側紙片１６及び裏側紙片１７の上部が互いに接着されて返信用葉書１４を形成している。また、紙片部１５の接辺１５ａから延びる下方隅部の内面、具体的には表側紙片１６の下方隅部と裏側紙片１７の下方隅部との両内面が少なくとも非接着とされている。さらに、表側紙片１６の下方隅部外面１６ａと裏側紙片１７の下方隅部外面１７ａとで本紙部１３の左側部１１と右側部１２とにそれぞれ接着されている。なお、本紙部１３の左側部１１、又は右側部１２を開いた際、表側紙片１６の下方隅部を含む下端辺と裏側紙片１７の下方隅部を含む下端辺とが開いた状態となる。
【００１９】
また、本紙部１３と接着された紙片部１５の下方隅部の両外面の形状が三角形状であると好ましい。本実施形態では、表側紙片１６の下方隅部外面１６ａ及び裏側紙片１７の下方隅部外面１７ａの形状が三角形状であると好ましい。さらに、本紙部１３の左側部１１、又は右側部１２を開いた際、紙片部１５が左側部１１、又は右側部１２と一緒に引き剥がされないように、本紙部１３に接着されているとよい。なお、本紙部１３の左側部１１、又は右側部１２を開いた状態で、紙片部１５を本紙部１３から引き剥がすことできる接着剤、すなわち粘着剤を用いると好ましい。また、紙片部１５を図示しないカット線により本紙部１３から分離させる構成であってもよい。
【００２０】
さらに、紙片部１５の下方隅部が仮想折れ線ａの下端部に位置するように紙片部１５が配置され、紙片部１５の下方隅部の下端辺から上方に向かって切込線１９が形成されている。本実施形態では、紙片部１５の下方隅部が仮想折れ線ａの下端部に位置するように紙片部１５が配置され、表側紙片１６の下端辺１６ｂから上方に向かって切込線１９が形成されている。ここで、切込線１９が設けられる位置や切込量は適宜変更可能である。また、切込線１９は、表側紙片１６の下端辺１６ｂでなく、裏側紙片１７の下端辺に形成されてもよいが、図４に示すように紙片部１５１の表側紙片１６及び裏側紙片１７の両方に切込線１９が形成されていてもよい。
【００２１】
ここで、切込線１９を本紙部１３と接着された表側紙片１６の下方隅部外面１６ａの付近に設け、紙片部１５が紙片部１５の下方隅部を基点として起き上がるのに最適な切込線１９の切込量（Ｘ）について検討した。
【００２２】
切込量（Ｘ）が、図５に示すように表側紙片１６の下方隅部外面１６ａの高さ寸法（Ｈ）、又は長さ寸法（Ｌ）の長い方の寸法に対して、好ましくは２分の１以上の寸法がある場合、紙片部１５は紙片部１５の下方隅部を基点として起き上がり、ユーザの注意を引くことができる。一方、切込量（Ｘ）が、表側紙片１６の下方隅部外面１６ａの高さ寸法（Ｈ）又は長さ寸法（Ｌ）の長い方の寸法に対して、２分の１未満の寸法である場合は、紙片部１５はユーザの注意を引くことができる程、起き上がらなかった。
【００２３】
なお、切込線１９は、仮想折れ線ａと接する紙片部１５の接辺１５ａと対向する端辺側の表側紙片１６と裏側紙片１７の内面が互いに接着されている場合は形成されると好ましい。他方、接着されていない紙片部１５の接辺１５ａから紙片部１５の接辺１５ａと対向する端辺側まで、表側紙片１６と裏側紙片１７の内面が互いに接着されていない場合は、切込線１９を設けなくてもよい。
【００２４】
本紙部１３の左側部１１及び右側部１２の外周縁１１ａ、１２ａには、外周に沿って、所定幅の剥離可能な接着剤が、直線状、又はドット状に塗布されている。接着剤は、一過性の接着力が圧力を加えることで得られる感圧接着剤を好適に用いることができる。
【００２５】
このように構成された返信用葉書付き広告印刷物１０は、例えば紙片部１５の接辺１５ａが仮想折れ線ａに接するように配置され、本紙部１３の左側部１１を右側部１２の上に位置するように折り畳むと図６に示す状態となる。ここで、左側部１１の外周縁１１ａは、右側部１２の外周縁１２ａと一過性の接着剤で剥離可能に接着されると共に、紙片部１５の表側紙片１６の下方隅部外面１６ａ及び裏側紙片１７の下方隅部外面１７ａが本紙部１３の左側部１１と右側部１２とにそれぞれ接着される。そして、接着剤に圧力を加えて接着すると、返信用葉書付き広告印刷物１０の外周が開封可能（剥離可能）に封止され、新聞折込等の際に、一体物として取扱いが可能な圧着チラシとなる。
【００２６】
なお、図６に示すように、返信用葉書付き広告印刷物１０は、左側部１１の端辺１１ｂと右側部１２の端辺１２ｂとが僅かにズレるよう形成するとよい。例えば、そのズレの大きさ寸法が、５ｍｍ程度とし、その間隙から見られる文字や、図形、イラスト等といった情報、例えば開封を促すマークや文言を表記することによって、何が印刷されているかユーザの好奇心を惹起し、左側部１１、又は右側部１２が開けられる確率を高めることができる。
【００２７】
以上のように構成された返信用葉書付き広告印刷物１０は、図６に示した本紙部１３が仮想折れ線ａで折り畳まれた状態から左側部１１、又は右側部１２を開いた際、紙片部１５が紙片部１５の下方隅部を起点として起き上がってくる。ここで、紙片部１５の下方隅部が仮想折れ線ａの下端部に位置するように接着されていると、例えば左側部１１を開いた際、図１に示すように紙片部１５がユーザに向けてまるでお辞儀をするように起き上がってくる。このように紙片部１５がユーザに向けてまるでお辞儀をするように起き上がってくることにより、紙片部１５はユーザの注意を引き、ユーザは紙片部１５に形成された返信用葉書１４に気付きやすくなり、ユーザからの返信率を高めることができる。なお、紙片部１５に形成された返信用葉書１４は、カット線１８により容易に分離できる。
【００２８】
なお、紙片部１５の下方隅部を仮想折れ線ａの下端部に位置するように紙片部１５を配置し、本紙部１３と接着させるのではなく、仮想折れ線ａの上端部に位置するよう紙片部１５を配置し、本紙部１３と接着させる構成であってもよい。すなわち、本紙部１３の左側部１１、又は右側部１２を開いた際、表側紙片１６の下方隅部を含む下端辺と裏側紙片１７の下方隅部を含む下端辺とが開いた状態となることができる位置であれば、仮想折れ線ａの任意の位置に紙片部１５を配置することができる。
【００２９】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００３０】
上述した実施形態では、本紙部１３が仮想折れ線ａで左側部１１及び右側部１２に区画された広告印刷物１０について説明したが、図７に示すように本紙部を仮想折れ線ａ、ｂで三つの領域に区画された広告印刷物であってもよい。また、紙片部１５を仮想折れ線ａ上ではなく、仮想折れ線ｂ上に設けてもよい。
【００３１】
また、図８に示すように、紙片部１５２の下方隅部を本紙部１３の仮想折れ線ａの下端部ではなく、仮想折れ線ａの中間部に配置してもよい。図９に示すように、紙片部１５３を横に倒したような形状としてもよい。
【符号の説明】
【００３２】
１０…返信用葉書付き広告印刷物
１１…左側部
１２…右側部
１３…本紙部
１４…返信用葉書
１５…紙片部
１６…表側紙片
１７…裏側紙片
１８…カット線
１９…切込線
ａ、ｂ…仮想折れ線
【図１】
2018030306.tif 000003
【図２】
2018030306.tif 000004
【図３】
2018030306.tif 000005
【図４】
2018030306.tif 000006
【図５】
2018030306.tif 000007
【図６】
2018030306.tif 000008
【図７】
2018030306.tif 000009
【図８】
2018030306.tif 000010
【図９】
2018030306.tif 000011